(57)【要約】【課題】供給電力の最大値が小さい電源を使用してもピーク時の電力を補って高出力駆動をすることができるとともに、小型に形成することができる電力制御装置、スピーカ装置および電力制御方法を提供すること。【解決手段】本発明のスピーカ装置は、オーディオ信号Ｓｉｎの出力が一時的に大きくなり、消費電力が増加した場合には、ＤＣ−ＤＣ変換器１１は、出力電圧Ｖｏｕｔを降圧することにより、出力電流Ｉｏｕｔを増加させるとともに、コンデンサＣ１から放電させて、アンプ１２への供給電流を増加させる。これにより、ＵＳＢ接続端子１０から供給される電力２．５Ｗ以上の電力を一時的にアンプ１２へ供給することができる。また、コンデンサＣ１両端の電圧差の変動を大きくすることができるから、コンデンサＣ１からの放電量を大きくすることができ、コンデンサＣ１のサイズを小さくすることができる。【選択図】図１
2008278669.tif 000002
【特許請求の範囲】
【請求項１】
外部電源から供給される電力の電圧値を所定の電圧値に変換して出力する電圧変換手段と、
前記電圧変換手段から出力された電力の電圧値に基づいて、前記外部電源から供給される電力の電圧値よりも低い電圧値であるフィードバック電圧を生成する電圧生成手段と、
前記電圧変換手段に供給される電力の電流値を検出する電流検出手段と、
前記電流検出手段によって検出した電流値が所定の電流値以上になった場合には、前記フィードバック電圧を上昇させる電圧修正手段と
を具備し、
前記電圧変換手段は、前記フィードバック電圧が予め設定された基準電圧になるように、前記所定の電圧を制御する
ことを特徴とする電力制御装置。
【請求項２】
前記電圧生成手段は、第１の抵抗と第２の抵抗とを具備し、前記電圧変換手段から出力された電力の電圧値を前記第１の抵抗と前記第２の抵抗とを用いて分圧することにより、フィードバック電圧を生成する
ことを特徴とする請求項１に記載の電力制御装置。
【請求項３】
前記電圧修正手段は、前記電流検出手段によって検出した電流値が所定の電流値以上になった場合にオン状態となるトランジスタを具備し、前記トランジスタがオン状態になることにより、前記外部電源から供給される電力によって前記フィードバック電圧を上昇させる
ことを特徴とする請求項１または請求項２に記載の電力制御装置。
【請求項４】
充放電するコンデンサをさらに具備し、
前記電圧変換手段が、前記所定の電圧を下げる制御を行う場合に、前記コンデンサは前記所定の電圧の低下量に応じて放電する
ことを特徴とする請求項１乃至請求項３のいずれかに記載の電力制御装置。
【請求項５】
請求項４に記載の電力制御装置と、
前記電圧変換手段から供給される電力を用いて、入力されたオーディオ信号を増幅するアンプと、
前記アンプによって増幅されたオーディオ信号を放音するスピーカと
を具備し、
前記アンプは、前記コンデンサが放電する場合には、当該放電によって生じた電力をさらに用いて、前記入力されたオーディオ信号を増幅する
ことを特徴とするスピーカ装置。
【請求項６】
外部電源から供給される電力の電圧値を所定の電圧値に変換して出力する電圧変換過程と、
前記電圧変換過程によって出力された電力の電圧値に基づいて、前記外部電源から供給される電力の電圧値よりも低い電圧値であるフィードバック電圧を生成する電圧生成過程と、
前記電圧変換過程に対して供給される電力の電流値を検出する電流検出過程と、
前記電流検出過程によって検出した電流値が所定の電流値以上になった場合には、前記フィードバック電圧を上昇させる電圧修正過程と
を備え、
前記電圧変換過程は、前記フィードバック電圧が予め設定された基準電圧になるように、前記所定の電圧を制御する
ことを特徴とする電力制御方法。
【発明の詳細な説明】
【技術分野】
【０００１】
本発明は、供給される電力の電圧値を昇圧して出力する技術に関する。
【背景技術】
【０００２】
パーソナルコンピュータなどにおいては、ＵＳＢ（Ｕｎｉｖｅｒｓａｌ  Ｓｅｒｉａｌ  Ｂｕｓ）規格の端子が広く普及し、各種の周辺機器がＵＳＢ端子を介して接続可能になっている。このようなＵＳＢ端子には、信号ラインと電源ラインがあるために、ＵＳＢ端子に接続された周辺機器は、この電源ラインから電源の供給を受けることができる。この電源ラインは、ＵＳＢ端子の規格から電圧が５Ｖ、電流は５００ｍＡ以下という制約があり、使用できる電力は２．５Ｗが最大となる。
【０００３】
ところが、ＵＳＢ端子に接続される周辺機器の中には、瞬間的ながらピーク時の消費電力が２．５Ｗを超えるものもあった。そのため、特許文献１のように、ＵＳＢ端子の電源ラインから電力供給を受ける入力部にコンデンサを設け、このコンデンサに蓄電された電力を利用することにより、ＵＳＢ端子に接続された周辺機器のピーク時の電力を補うということができる装置が提案されていた。
【特許文献１】特表２００４−５０３１９９号公報
【発明の開示】
【発明が解決しようとする課題】
【０００４】
しかしながら、特許文献１に記載の装置においては、単にコンデンサを用いるという構成のため、蓄電できる電力が小さいという問題があった。また、蓄電量を増やそうとすると、コンデンサの容量を非常に大きくする必要があり、コンデンサの占める体積が極めて大きくなってしまう。そのため、スピーカを駆動するためのＵＳＢアンプにおいては、大きな容量のコンデンサが必要となり、小型化することができなかった。
【０００５】
本発明は、上述の事情に鑑みてなされたものであり、供給電力の最大値が小さい電源を使用してもピーク時の電力を補って高出力駆動をすることができるとともに、小型に形成することができる電力制御装置、スピーカ装置および電力制御方法を提供することを目的とする。
【課題を解決するための手段】
【０００６】
上述の課題を解決するため、本発明は、外部電源から供給される電力の電圧値を所定の電圧値に変換して出力する電圧変換手段と、前記電圧変換手段から出力された電力の電圧値に基づいて、前記外部電源から供給される電力の電圧値よりも低い電圧値であるフィードバック電圧を生成する電圧生成手段と、前記電圧変換手段に供給される電力の電流値を検出する電流検出手段と、前記電流検出手段によって検出した電流値が所定の電流値以上になった場合には、前記フィードバック電圧を上昇させる電圧修正手段とを具備し、前記電圧変換手段は、前記フィードバック電圧が予め設定された基準電圧になるように、前記所定の電圧を制御することを特徴とする電力制御装置を提供する。
【０００７】
また、別の好ましい態様において、前記電圧生成手段は、第１の抵抗と第２の抵抗とを具備し、前記電圧変換手段から出力された電力の電圧値を前記第１の抵抗と前記第２の抵抗とを用いて分圧することにより、フィードバック電圧を生成してもよい。
【０００８】
また、別の好ましい態様において、前記電圧修正手段は、前記電流検出手段によって検出した電流値が所定の電流値以上になった場合にオン状態となるトランジスタを具備し、前記トランジスタがオン状態になることにより、前記外部電源から供給される電力によって前記フィードバック電圧を上昇させてもよい。
【０００９】
また、別の好ましい態様において、充放電するコンデンサをさらに具備し、前記電圧変換手段が、前記所定の電圧を下げる制御を行う場合に、前記コンデンサは前記所定の電圧の低下量に応じて放電してもよい。
【００１０】
また、本発明は、前記電力制御装置と、前記電圧変換手段から供給される電力を用いて、入力されたオーディオ信号を増幅するアンプと、前記アンプによって増幅されたオーディオ信号を放音するスピーカとを具備し、前記アンプは、前記コンデンサが放電する場合には、当該放電によって生じた電力をさらに用いて、前記入力されたオーディオ信号を増幅することを特徴とするスピーカ装置を提供する。
【００１１】
また、本発明は、外部電源から供給される電力の電圧値を所定の電圧値に変換して出力する電圧変換過程と、前記電圧変換過程によって出力された電力の電圧値に基づいて、前記外部電源から供給される電力の電圧値よりも低い電圧値であるフィードバック電圧を生成する電圧生成過程と、前記電圧変換過程に対して供給される電力の電流値を検出する電流検出過程と、前記電流検出過程によって検出した電流値が所定の電流値以上になった場合には、前記フィードバック電圧を上昇させる電圧修正過程とを備え、前記電圧変換過程は、前記フィードバック電圧が予め設定された基準電圧になるように、前記所定の電圧を制御することを特徴とする電力制御方法を提供する。
【発明の効果】
【００１２】
本発明によれば、供給電力の最大値が小さい電源を使用してもピーク時の電力を補って高出力駆動をすることができるとともに、小型に形成することができる電力制御装置、スピーカ装置および電力制御方法を提供することができる。
【発明を実施するための最良の形態】
【００１３】
以下、本発明の一実施形態について説明する。
【００１４】
＜実施形態＞
本実施形態においては、ＵＳＢ端子に接続して高出力駆動が可能なスピーカ装置１について説明する。まず、スピーカ装置１の構成について、図１を用いて説明する。図１は、本発明の実施形態に係るスピーカ装置１の構成を示す回路図である。
【００１５】
ＵＳＢ接続端子１０は、外部電源となるパーソナルコンピュータに設けられたＵＳＢ接続端子と接続することにより、電力の供給を受ける端子である。外部電源は定電圧源であって、ＵＳＢ接続端子１０に供給される電圧Ｖｕｓｂは５Ｖであり、電流Ｉｕｓｂは最大５００ｍＡである。
【００１６】
ＤＣ−ＤＣ変換器１１は、入力された電圧Ｖｉｎを電圧Ｖｏｕｔに変換して出力する直流電圧変換器である。この出力電圧Ｖｏｕｔは、別途入力されるフィードバック電圧Ｖｆｂが予め設定された基準電圧になるように調整される。ここで、後述するトランジスタＱ１がオフ状態であるときには、フィードバック電圧Ｖｆｂは、出力電圧Ｖｏｕｔを抵抗Ｒ１、Ｒ２で分圧することにより生成された電圧値となる。
【００１７】
本実施形態においては、基準電圧が１Ｖと設定され、フィードバック抵抗Ｖｆｂが１Ｖになるように出力電圧Ｖｏｕｔを制御すると、出力電圧Ｖｏｕｔは１０Ｖになるような直流電圧変換器となっている。例えば、フィードバック電圧Ｖｆｂが１Ｖより大きくなった場合には、ＤＣ−ＤＣ変換器１１は出力電圧Ｖｏｕｔが上昇していると認識して出力電圧Ｖｏｕｔを下げるように制御する。一方、フィードバック電圧Ｖｆｂが１Ｖより小さくなった場合には、ＤＣ−ＤＣ変換器１１は出力電圧Ｖｏｕｔが下降していると認識して出力電圧Ｖｏｕｔを上げるように制御する。ここで、基準電圧は、ＵＳＢ接続端子１０から入力される電圧Ｖｕｓｂよりも低い電圧に設定される。
【００１８】
また、抵抗Ｒ１、Ｒ２は、出力電圧Ｖｏｕｔが１０Ｖのときに、フィードバック電圧Ｖｆｂが１Ｖになるように設定されているから、抵抗Ｒ１、Ｒ２の抵抗比は９：１（本実施形態においては、抵抗Ｒ１は９ｋΩ、抵抗Ｒ２は１ｋΩとする）となっている。また、この抵抗は、後述するアンプ１２の内部抵抗に比べ、非常に大きな抵抗と設定され、抵抗Ｒ１、Ｒ２へ流れる電流は微小なものとして考えることができる。そのため、以下の説明においては、当該微小な電流は無視できるものとし、ＤＣ−ＤＣ変換器１１からの出力電流Ｉｏｕｔは、全てアンプ１２、コンデンサＣ１などへ流れるものとして説明する。
【００１９】
また、ＤＣ−ＤＣ変換器１１は、変換効率が８０％とする。つまり、入力された電力の８０％の電力が出力される。例えば、入力された電力が２．５Ｗ（５Ｖ、５００ｍＡ）の場合には、出力する電力が２．０Ｗ（１０Ｖ、２００ｍＡ）となる。
【００２０】
アンプ１２は、ＤＣ−ＤＣ変換器１１から電力を供給され、入力されたオーディオ信号Ｓｉｎを増幅してスピーカ１３から放音させる増幅回路である。ここで、スピーカ１３は、本実施形態においては、インピーダンスＺｓｐが８Ωとする。
【００２１】
抵抗Ｒｉｎは、ＵＳＢ接続端子１０とＤＣ−ＤＣ変換器１１の間に設けられ、抵抗Ｒｉｎによる電圧降下後の電圧をトランジスタＱ１のベース端子に印加する。そして、抵抗Ｒｉｎの抵抗値は、本実施形態においては１Ωとし、入力電流Ｉｕｓｂが上限５００ｍＡになるとトランジスタＱ１のベース端子に４．５Ｖが印加されるようになっている。
【００２２】
トランジスタＱ１は、ベース・エミッタ間の電圧差ＶＢＥが０．５Ｖ（入力電流Ｉｕｓｂが５００ｍＡのとき）を超えると、電流をほとんど流さない状態であるオフ状態から、エミッタ・コレクタ間が導通したオン状態になるＰＮＰトランジスタである。また、エミッタはＵＳＢ接続端子１０に接続され、５Ｖが印加されている。
【００２３】
ここで、トランジスタＱ１のオン状態におけるエミッタ・コレクタ間の抵抗値と抵抗Ｒ３の抵抗値の合計の抵抗値は、抵抗Ｒ１と同じ抵抗値、すなわち９ｋΩとなっている。このように設定されていることにより、トランジスタＱ１がオン状態になった場合には、ＵＳＢ接続端子１０の電圧Ｖｕｓｂの影響を受け、フィードバック電圧Ｖｆｂが上昇することになるが、ＤＣ−ＤＣ変換器１１が出力電圧Ｖｏｕｔを制御して６Ｖまで低下させることにより、フィードバック電圧Ｖｆｂを基準電圧１Ｖに下げることができる。なお、トランジスタＱ１は電圧差ＶＢＥが０．５Ｖに達する前（入力電流Ｉｕｓｂが５００ｍＡに達する前）であっても、トランジスタＱ１のエミッタ・コレクタ間の抵抗が減少しはじめるために、フィードバック電圧Ｖｆｂが上昇しはじめるから、ＤＣ−ＤＣ変換器１１は、出力電圧Ｖｏｕｔを低下させるように制御する。
【００２４】
このように、入力電流Ｉｕｓｂが５００ｍＡに近づくと、ＤＣ−ＤＣ変換器１１の出力電圧Ｖｏｕｔが減少する。そして、出力電圧Ｖｏｕｔが減少するから、同じ電力であれば、出力電流Ｉｏｕｔを上昇させることができる。例えば、出力電圧Ｖｏｕｔが１０Ｖのときの出力電流Ｉｏｕｔの上限が２００ｍＡであっても、出力電圧Ｖｏｕｔが６Ｖになったときは出力電流Ｉｏｕｔの上限を３３３ｍＡまで上昇させることができる。
【００２５】
ここで、トランジスタＱ１のオン状態におけるエミッタ・コレクタ間の抵抗値と抵抗Ｒ３の抵抗値の合計の抵抗値は、抵抗Ｒｉｎ、ＤＣ−ＤＣ変換器１１などの内部抵抗に比べて、非常に大きな抵抗として設定されているため、ＵＳＢ接続端子１０から入力される電流Ｉｕｓｂのうち、トランジスタＱ１へ流れる電流は微小なものとして考えることができる。そのため、以下の説明においては、当該微小な電流は無視できるものとし、ＤＣ−ＤＣ変換器１１への入力電流Ｉｉｎは、ＵＳＢ接続端子１０から入力される電流Ｉｕｓｂと同じであるとして説明する。
【００２６】
コンデンサＣ１は、ＤＣ−ＤＣ変換器１１とアンプ１２の間に設けられた、容量が１００００ｕＦのコンデンサであり、ＤＣ−ＤＣ変換器１１からの出力電圧Ｖｏｕｔに応じた電荷を蓄積する。そして、出力電圧Ｖｏｕｔが低下したときには、その電荷を放出して、アンプ１２へ供給する電流を増加させる。例えば、出力電圧Ｖｏｕｔが１０Ｖから６Ｖへ低下した場合には、１００００ｕＦ×（１０Ｖ−６Ｖ）＝４０ｍＣの電荷を放出することができる。そのため、当該電荷の放出時間に応じて発生する電流、例えば、約０．１秒間で放出するのであれば、４００ｍＡの電流をコンデンサＣ１からアンプ１２へ供給することができる。
【００２７】
次に、パーソナルコンピュータに接続されたスピーカ装置１における動作について説明する。まず、アンプ１２にオーディオ信号Ｓｉｎが入力されるが、このオーディオ信号Ｓｉｎは楽曲を示す信号であるものとする。ここで、一般的に楽曲などのオーディオ信号は、ピーク出力と平均出力には大きな差があり、ジャンルや曲によって異なるものの、平均出力はピーク出力の１／８〜１／１０程度と言われている。そのため、ピーク時の電力を一時的に補うことができれば、ピーク時以外は、最大電力の１／８〜１／１０の電力でアンプ１２を駆動することができる。
【００２８】
まず、オーディオ信号Ｓｉｎの出力がピーク時以外の出力であるときの動作について説明する。スピーカ１３のインピーダンスＺｓｐは８Ωであるから、例えば、オーディオ信号Ｓｉｎの出力により、ＤＣ−ＤＣ変換器１１からの出力電流Ｉｏｕｔが１５０ｍＡ供給される場合には、０．１８Ｗの出力が得られる。このとき、コンデンサＣ１には、１００ｍＣの電荷が蓄積される。そして、オーディオ信号の出力が低く、電流Ｉｕｓｂが５００ｍＡに達しないうちは、この状態が持続する。
【００２９】
次に、オーディオ信号Ｓｉｎの出力が大きくなり、ピーク出力に向かって変化するときの動作について説明する。オーディオ信号Ｓｉｎの出力が大きくなり、出力電流Ｉｏｕｔが１８０ｍＡ程度まで増加して、約０．２６Ｗの出力になると、電流Ｉｕｓｂは、ほぼ５００ｍＡとなる。ここで、電流Ｉｕｓｂが５００ｍＡに達するにあたって、出力電圧Ｖｏｕｔが１０Ｖで出力電流Ｉｏｕｔが１８０ｍＡ程度までしか増加しないのは、抵抗Ｒｉｎによる０．５Ｖ程度の電圧降下により、０．２５Ｗ程度消費し、ＤＣ−ＤＣ変換器１１から出力できる最大電力は（２．５Ｗ−０．２５Ｗ）×８０％＝１．８Ｗとなるからである。
【００３０】
電流Ｉｕｓｂが５００ｍＡ程度になると、フィードバック電圧Ｖｆｂが上昇するから、ＤＣ−ＤＣ変換器１１は、出力電圧Ｖｏｕｔを低下させるように制御する。これにより、上述したように、出力電圧Ｖｏｕｔは最大で４Ｖ低下して６Ｖとなる。このとき、ＤＣ−ＤＣ変換器１１からの出力電流Ｉｏｕｔの最大値は３００ｍＡとなり、０．７２Ｗまで出力が得られる。一方、コンデンサＣ１は、出力電圧Ｖｏｕｔが４Ｖ低下したことにより、４０ｍＣの電荷を放出する。そのため、上述したように、例えば、０．１秒間だけ４００ｍＡの電流をさらにアンプ１２に供給することができる。これにより、コンデンサＣ１が放電している０．１秒間は、７００ｍＡ程度の電流をアンプ１２に供給することができるから、３．９２Ｗ程度の出力が得られる。これにより、ＵＳＢ接続端子１０から供給される電力２．５Ｗ以上の電力を一時的に出力することができる。
【００３１】
その後、オーディオ信号Ｓｉｎの出力が下がり、電流Ｉｓｕｂが低下すると、トランジスタＱ１がオフ状態となり、フィードバック電圧Ｖｆｂが低下するから、ＤＣ−ＤＣ変換器１１の出力電圧Ｖｏｕｔを上昇させるように制御し、出力電圧Ｖｏｕｔは１０Ｖに戻る。これにより、再び、コンデンサＣ１に１００ｍＣの電荷が蓄積される。
【００３２】
このように、本発明のスピーカ装置１は、入力されるオーディオ信号Ｓｉｎの出力が小さく、消費電力が少ない場合には、ＤＣ−ＤＣ変換器１１によって昇圧された出力電圧ＶｏｕｔによってコンデンサＣ１が充電される。そして、オーディオ信号Ｓｉｎの出力が一時的に大きくなり、消費電力が増加した場合には、ＤＣ−ＤＣ変換器１１は、出力電圧Ｖｏｕｔを降圧することにより、出力電流Ｉｏｕｔを増加させるとともに、コンデンサＣ１から放電させて、アンプ１２への供給電流を増加させる。これによりＵＳＢ接続端子１０から供給される電力２．５Ｗ以上の電力を一時的にアンプ１２へ供給することができる。また、ＤＣ−ＤＣ変換器１１が出力電圧Ｖｏｕｔを消費電力に応じて変動させることにより、変動させない場合に比べて、コンデンサＣ１両端の電圧差の変動を大きくすることができるから、コンデンサＣ１からの放電量を大きくすることができる。そのため、コンデンサＣ１の容量を小さくすることができるから、コンデンサＣ１のサイズを小さくすることによって、スピーカ装置１を小型化することができる。
【００３３】
以上、本発明の実施形態について説明したが、本発明は以下のように、さまざまな態様で実施可能である。
【００３４】
＜変形例１＞
実施形態においては、トランジスタＱ１は、ＰＮＰトランジスタであったが、ＰチャネルＦＥＴ（Ｆｉｅｌｄ  Ｅｆｆｅｃｔ  Ｔｒａｎｓｉｓｔｏｒ）であってもよい。この場合には、ＰＮＰトランジスタのベースに接続されるラインをＰチャネルＦＥＴのゲートへ接続し、ＰＮＰトランジスタのエミッタ、コレクタに接続されるラインをＰチャネルＦＥＴのソース、ドレインに接続されるようにすればよい。このようにしても、実施形態と同様な効果を得ることができる。
【００３５】
＜変形例２＞
実施形態においては、トランジスタＱ１のオン状態におけるエミッタ・コレクタ間の抵抗値と抵抗Ｒ３の抵抗値の合計の抵抗値が所定の抵抗値になるようにしていたが、必ずしも抵抗Ｒ３は用いなくてもよい。この場合は、トランジスタＱ１のサイズを調整することにより当該トランジスタＱ１のオン状態におけるエミッタ・コレクタ間の抵抗値が所定の抵抗値になるようにすればよい。このようにすれば抵抗Ｒ３を用いなくても、実施形態と同様な効果を得ることができる。
【００３６】
＜変形例３＞
実施形態においては、トランジスタＱ１のオン状態におけるエミッタ・コレクタ間の抵抗値と抵抗Ｒ３の抵抗値の合計の抵抗値が抵抗Ｒ１の抵抗値と同じになるようにしていたから、トランジスタＱ１がオン状態を維持した場合、すなわち電流Ｉｕｓｂが５００ｍＡ程度の状態が続いた場合には、フィードバック電圧Ｖｆｂが基準電圧１ＶになるようにＤＣ−ＤＣ変換器１１の出力電圧Ｖｏｕｔは６Ｖまで低下した。ここで、出力電圧Ｖｏｕｔをどの電圧まで低下させるかによって、トランジスタＱ１のオン状態におけるエミッタ・コレクタ間の抵抗値と抵抗Ｒ３の抵抗値の合計の抵抗値を調整するようにすれば良い。すなわち、出力電圧Ｖｏｕｔが下限の電圧値になったときに、フィードバック電圧Ｖｆｂが１Ｖになるように当該合計の抵抗値を調整すればよい。
【００３７】
＜変形例４＞
実施形態におけるＵＳＢ接続端子１０とＤＣ−ＤＣ変換器１１の間に、５００ｍＡ以上の電流が流れないようにするリミッタを設けてもよい。このようにすれば、ＵＳＢ接続端子１０に接続されているパーソナルコンピュータのＵＳＢ接続端子に電力を供給する電源に５００ｍＡ以上の電流が流れなくなり、当該電源への負荷を低減できる。
【００３８】
＜変形例５＞
実施形態においては、トランジスタＱ１がオフ状態であるときには、ＤＣ−ＤＣ変換器１１からの出力電圧Ｖｏｕｔが１０Ｖになるように設定されていたが、１０Ｖに限られない。この場合は、利用者が操作することによって、当該電圧値を設定できる操作部を設ければよい。また、抵抗Ｒ１、抵抗Ｒ２の少なくとも一方を抵抗値が利用者によって変更可能な可変抵抗とし、抵抗Ｒ１、Ｒ２の抵抗比を調節して、出力電圧Ｖｏｕｔが変更されるようにしてもよい。例えば、抵抗Ｒ１、Ｒ２の抵抗比を７：１とすれば、フィードバック電圧Ｖｆｂを１Ｖとするために、出力電圧Ｖｏｕｔは８Ｖとなる。
【００３９】
ここで、出力電圧Ｖｏｕｔを１０Ｖより大きく設定すると、１０Ｖ以上になっている通常時は、出力できる電力がより小さくなってしまうが、ピーク時にコンデンサＣ１から放出できる電荷Ｑｃが大きくなるから、ピーク時に出力できる電力を大きくすることができる。逆に、出力電圧Ｖｏｕｔを１０Ｖより小さく設定すれば、ピーク時に出力できる電力が減ってしまうが、通常時に出力できる電力は大きくなる。そのため、入力されるオーディオ信号Ｓｉｎの出力特性、すなわち出力の変動が大きいか小さいかによって、最適な出力電圧Ｖｏｕｔを設定することができる。なお、入力されるオーディオ信号Ｓｉｎの出力特性を事前に取得する出力特性取得手段を設け、出力特性取得手段は、取得した出力特性に応じて、ＤＣ−ＤＣ変換器１１または抵抗Ｒ１、Ｒ２の抵抗比を自動的に制御して、出力電圧Ｖｏｕｔを決定するようにしてもよい。
【図面の簡単な説明】
【００４０】
【図１】実施形態に係るスピーカ装置の構成を示す回路図である。
【符号の説明】
【００４１】
１…スピーカ装置、１０…ＵＳＢ接続端子、１１…ＤＣ−ＤＣ変換器、１２…アンプ、１３…スピーカ
【図１】
2008278669.tif 000003